(57)【要約】【課題】正立顕微鏡用の油侵コンデンサにおいて、複雑な構成を必要とせず、かつオイルの清掃を容易に行うことができる先玉キャップ、正立顕微鏡用油浸コンデンサ、及び正立顕微鏡を提供すること。【解決手段】先玉キャップは、正立顕微鏡の接眼部を支持する支柱部、又は、標本が載置されるステージのいずれかに固定されている油浸コンデンサに着脱可能な先玉キャップであって、前記油浸コンデンサの先玉レンズの外周を囲むように形成されており、オイルを受容するオイル受容部を備える。【選択図】図４
2018066784.tif 000002
【特許請求の範囲】
【請求項１】
正立顕微鏡の接眼部を支持する支柱部、又は、標本が載置されるステージのいずれかに固定されている油浸コンデンサに着脱可能な先玉キャップであって、
前記油浸コンデンサの先玉レンズの外周を囲むように形成されており、オイルを受容するオイル受容部を備えることを特徴とする先玉キャップ。
【請求項２】
前記オイル受容部は、前記油浸コンデンサの先玉レンズの外周を囲むように形成されている凹部であることを特徴とする請求項１に記載の先玉キャップ。
【請求項３】
前記オイル受容部は、前記油浸コンデンサの先玉レンズの外周を囲むように配置されているオイル吸収材であることを特徴とする請求項１又は２に記載の先玉キャップ。
【請求項４】
前記オイル受容部の外周に撥油性を有する部材からなる撥油部が配置されていることを特徴とする請求項１〜３のいずれか１つに記載の先玉キャップ。
【請求項５】
当該先玉キャップは、白色であることを特徴とする請求項１〜４のいずれか１つに記載の先玉キャップ。
【請求項６】
請求項１〜５のいずれか１つに記載の先玉キャップと、
前記先玉キャップが装着されるコンデンサと、
を備えることを特徴とする正立顕微鏡用油浸コンデンサ。
【請求項７】
請求項６に記載の正立顕微鏡用油浸コンデンサを備えることを特徴とする正立顕微鏡。
【発明の詳細な説明】
【技術分野】
【０００１】
本発明は、油浸コンデンサを備える正立顕微鏡において、油浸に使用したオイルの清掃が容易な先玉キャップ、正立顕微鏡用油浸コンデンサ、及び正立顕微鏡に関する。
【背景技術】
【０００２】
正立顕微鏡は、医学、生物学をはじめ、その他の分野において研究、検査、教育等に用いられている。正立顕微鏡には、油浸コンデンサを備えるものがある（例えば、特許文献１〜３参照）。
【０００３】
油浸コンデンサを備える正立顕微鏡を用いて、中高倍（２０倍〜１００倍程度）の対物レンズにより標本の鮮明な観察像を得るためには、油浸コンデンサの先玉レンズの上面にオイルを点着することにより、スライドガラス標本を照明する際の照明性能の確保や、開口数を大きくする必要がある。
【先行技術文献】
【特許文献】
【０００４】
【特許文献１】特開２０１０−９７０７５号公報
【特許文献２】特開昭６２−２２３７１７号公報
【特許文献３】特願平１１−５２２９４７号公報
【発明の概要】
【発明が解決しようとする課題】
【０００５】
ところで、先玉レンズの上面に点着したオイルは、顕微鏡使用後に、無水アルコールをわずかに含ませたクリーニングペーパーで拭き取る必要があるため、オイルの清掃が容易であることが好ましい。
【０００６】
また、オイルを点着する際にオイルが多いと、オイルが先玉レンズの上面からレンズ枠の側面にこぼれる場合がある。あるいは、オイルが余分にあると、観察しているスライドガラス標本をステージ上で移動させる場合にも、オイルが先玉レンズの上面からレンズ枠の側面にこぼれる場合がある。このようにオイルがレンズ枠の側面にこぼれた場合にも、オイルの清掃が容易であることが好ましい。
【０００７】
特に、検査用途として、標本が載置されたスライドガラス標本を拡大観察し、１日に多数のスライドガラス標本を検査する場合には、オイルの清掃を容易に行えることが望まれる。
【０００８】
特許文献１の油侵コンデンサでは、コンデンサの先玉レンズの上面からレンズ枠の側面にオイルがこぼれた場合、コンデンサを顕微鏡本体から取り外して清掃する必要があり手間がかかる。また、コンデンサを取り外すためには、コンデンサのピント位置を一度下げる必要があり、手間がかかる。
【０００９】
特許文献２の油侵コンデンサは、油受皿が大きく、さらにドレインパイプを備えるため構成が複雑である。また、油受皿を清掃するためには、大きな開口を設ける必要がある。
【００１０】
特許文献３の油侵コンデンサは、受け器が大きく、さらに培養液を排出するホースを備えるため構成が複雑である。また、培養液が一度付着した受け器やホースを清掃するためには、コンデンサ本体を取り外すか、大きな開口を設ける必要がある。
【００１１】
本発明は、上記に鑑みてなされたものであって、正立顕微鏡用の油侵コンデンサにおいて、複雑な構成を必要とせず、かつオイルの清掃を容易に行うことができる先玉キャップ、正立顕微鏡用油浸コンデンサ、及び正立顕微鏡を提供することを目的とする。
【課題を解決するための手段】
【００１２】
上述した課題を解決し、目的を達成するために、本発明の一態様に係る先玉キャップは、正立顕微鏡の接眼部を支持する支柱部、又は、標本が載置されるステージのいずれかに固定されている油浸コンデンサに着脱可能な先玉キャップであって、前記油浸コンデンサの先玉レンズの外周を囲むように形成されており、オイルを受容するオイル受容部を備えることを特徴とする。
【００１３】
また、本発明の一態様に係る先玉キャップは、前記オイル受容部は、前記油浸コンデンサの先玉レンズの外周を囲むように形成されている凹部であることを特徴とする。
【００１４】
また、本発明の一態様に係る先玉キャップは、前記オイル受容部は、前記油浸コンデンサの先玉レンズの外周を囲むように配置されているオイル吸収材であることを特徴とする。
【００１５】
また、本発明の一態様に係る先玉キャップは、前記オイル受容部の外周に撥油性を有する部材からなる撥油部が配置されていることを特徴とする。
【００１６】
また、本発明の一態様に係る先玉キャップは、当該先玉キャップは、白色であることを特徴とする。
【００１７】
また、本発明の一態様に係る正立顕微鏡用油浸コンデンサは、上記先玉キャップと、前記先玉キャップが装着されるコンデンサと、を備えることを特徴とする。
【００１８】
また、本発明の一態様に係る正立顕微鏡は、上記正立顕微鏡用油浸コンデンサを備えることを特徴とする。
【発明の効果】
【００１９】
本発明によれば、正立顕微鏡用の油侵コンデンサにおいて、複雑な構成を必要とせず、かつオイルの清掃を容易に行うことができる先玉キャップ、正立顕微鏡用油浸コンデンサ、及び正立顕微鏡を実現することができる。
【図面の簡単な説明】
【００２０】
【図１】図１は、本発明の実施の形態に係る先玉キャップを備えた正立顕微鏡の側面図である。
【図２】図２は、図１に示す正立顕微鏡のステージ及びコンデンサを上方から見た斜視図である。
【図３】図３は、図１に示す正立顕微鏡のコンデンサの拡大断面図である。
【図４】図４は、本発明の実施の形態に係る先玉キャップの斜視図である。
【図５】図５は、実施の形態の変形例１に係る先玉キャップの斜視図である。
【図６】図６は、実施の形態の変形例２に係る先玉キャップの断面図である。
【図７】図７は、実施の形態の変形例３に係る先玉キャップの断面図である。
【図８】図８は、実施の形態の変形例４に係る先玉キャップの断面図である。
【発明を実施するための形態】
【００２１】
以下に、図面を参照して本発明に係る先玉キャップ、正立顕微鏡用油浸コンデンサ、及び正立顕微鏡の実施の形態を説明する。なお、これらの実施の形態により本発明が限定されるものではない。本発明は、標本とコンデンサとの間を油浸して観察する正立顕微鏡のコンデンサに用いる先玉キャップ、正立顕微鏡用油浸コンデンサ、及び正立顕微鏡一般に適用することができる。
【００２２】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００２３】
（実施の形態）
図１は、本発明の実施の形態に係る先玉キャップを備えた正立顕微鏡の側面図である。図１に示すように、正立顕微鏡１は、接眼部を支持する支柱部を含み正立顕微鏡１の本体を構成する顕微鏡フレーム２と、標本を載置するスライドガラス標本３が載置されるステージ４と、ステージ４を上下方向に移動可能とする焦準部５と、照明光学系の一部をなすコンデンサ６と、複数の対物レンズ７と、各対物レンズ７を観察光軸に配置可能なレボルバ８、対物レンズ７及びレボルバ８を上下動させる焦準ハンドル９と、対物レンズ７により結像した標本の観察像を目視するための接眼部としての三眼鏡筒１０と、コンデンサ６に装着された先玉キャップ１１と、を備える。また、コンデンサ６とスライドガラス標本３との間にはオイル１２が、スライドガラス標本３と対物レンズ７との間にはオイル１３がそれぞれ介在する。
【００２４】
図２は、図１に示す正立顕微鏡のステージ及びコンデンサを上方から見た斜視図である。図２に示すように、ステージ４は、焦準部５に固定されている下ステージ４ａと、スライドガラス標本３を設置する上ステージ４ｂと、スライドガラス標本３を把持するクレンメル４ｃと、各ステージを動かす操作に用いる操作ハンドル４ｄと、を備える。
【００２５】
上ステージ４ｂは、下ステージ４ａに対して前後方向に移動可能である。クレンメル４ｃは、上ステージ４ｂの上面でスライドガラス標本３を把持しながら左右方向に移動可能である。
【００２６】
図３は、図１に示す正立顕微鏡のコンデンサの拡大断面図である。図３の断面は、図２のＡ−Ａ線に対応する部分断面である。図３に示すように、コンデンサ６は、厚さ０．９ｍｍ〜１．４ｍｍのスライドガラス標本３の照明性能を満たす位置に配置され、下ステージ４ａの内側に固定されている。ただし、コンデンサ６は、上ステージ４ｂ、又は顕微鏡フレーム２に固定されていてもよい。
【００２７】
コンデンサ６は、不図示の光源部から出射された照明光をスライドガラス標本３に照射する先玉レンズ６ａと、先玉レンズ６ａを内側に固定する円環形状の先玉レンズ枠６ｂと、を備える。先玉レンズ枠６ｂには、先玉キャップ１１が着脱可能に配置されている。先玉レンズ枠６ｂには、先玉キャップ１１の形状に沿うようにそれぞれ円環形状に沿って形成されている溝６ｃ及び凸部６ｄと、半球形状に凹んでいる凹部６ｅと、円環形状に沿って形成されている溝６ｆと、が形成されている。
【００２８】
図４は、本発明の実施の形態に係る先玉キャップの斜視図である。図４に示すように、先玉キャップ１１は、モールド成形により製造した円環形状の白色のプラスチック部品である。先玉キャップ１１は、例えば、ポリアリレートからなる。ただし、先玉キャップ１１は、耐薬品性、及び耐摩耗性に優れているプラスチックからなる構成であればよく、特に材料は限定されない。
【００２９】
先玉キャップ１１の外周部には、片持ち梁形状に延在するスナップフィット部１１ａが対向する２箇所に形成されている。さらに、２つのスナップフィット部１１ａの先端側の内壁面には、半球形状の突起部である凸部１１ｂがそれぞれ１箇所ずつ形成されている。図３に示すように、凸部１１ｂがコンデンサ６の凹部６ｅに嵌まることにより、先玉キャップ１１がコンデンサ６の先玉レンズ枠６ｂに固定される。
【００３０】
先玉キャップ１１は、コンデンサ６の上面の先玉レンズ６ａの外周を円形状に覆うように形成されており、コンデンサ６の溝６ｃ及び凸部６ｄと嵌合されるオイル受容部１１ｃを備える。オイル受容部１１ｃは、コンデンサ６の先玉レンズ６ａの外周を囲むように形成されている凹部である。なお、本明細書において、正立顕微鏡用油浸コンデンサは、コンデンサ６及び先玉キャップ１１を備えるものとする。
【００３１】
対物レンズ７は、それぞれ倍率の異なる４倍対物レンズ、１０倍対物レンズ、４０倍対物レンズ、及び１００倍対物レンズを備える。
【００３２】
次に、正立顕微鏡１を用いて標本を観察する手順を説明する。はじめに、焦準ハンドル９を操作することにより、ステージ４を下方に移動させる。又は、作動距離（ＷＤ：Ｗｏｒｋｉｎｇ  Ｄｉｓｔａｎｃｅ）が大きい低倍の４倍対物レンズに切替える。
【００３３】
続いて、コンデンサ６の先玉レンズ６ａの上面にオイル１２を点着する。そして、観察する標本が載置されたスライドガラス標本３を上ステージ４ｂの上に置く。
【００３４】
その後、レボルバ８を操作することにより、１０倍対物レンズに切り替える。さらに、焦準ハンドル９を操作することにより、スライドガラス標本３にピントを合わせる。そして、１０倍対物レンズによりスライドガラス標本３を観察しながら、操作ハンドル４ｄを操作することにより、ステージ４を前後左右に移動させ、スクリーニング観察を行う。
【００３５】
そして、スライドガラス標本３の中で組織や細胞の異常、細菌の有無といった注目すべき箇所がある場合には、レボルバ８を操作することにより、４０倍対物レンズ、又は、１００倍対物レンズに切替え、スライドガラス標本３にピントを合わせる。そして、４０倍対物レンズ、又は、１００倍対物レンズにより詳細な観察を行なう。なお、スライドガラス標本３の上にオイル１３を点着して観察を行ってもよい。
【００３６】
スライドガラス標本３の観察が終了したら、別のスライドガラス標本３に交換し、観察対象のスライドガラス標本３を順に観察する。そして、全てのスライドガラス標本３の観察が終了したらスライドガラス標本３を上ステージ４ｂの上から取り外す。
【００３７】
最後に、先玉レンズ６ａの上面に点着されているオイル１２を、無水アルコールをわずかに含ませたクリーニングペーパーで拭き取る。
【００３８】
ここで、先玉レンズ６ａの上面に余分なオイル１２があると、先玉レンズ６ａの上面にオイル１２を点着する際、ステージ４のスクリーニング操作時、スライドガラス標本３の交換時等にオイル１２が先玉レンズ６ａの上面から側面へ流れ落ちることがある。しかしながら、正立顕微鏡１では、先玉キャップ１１のオイル受容部１１ｃがオイル１２を受容することにより、コンデンサ６の本体側にオイル１２がこぼれ落ちることが防止されている。
【００３９】
また、オイル受容部１１ｃにオイル１２が溜まった場合には、先玉キャップ１１の外周の淵を指で把持してコンデンサ６の先玉レンズ枠６ｂから取り外し、オイル受容部１１ｃに溜まったオイル１２は無水アルコールをわずかに含ませたクリーニングペーパーで拭き取る。そして、オイル１２を拭き取った先玉キャップ１１を、再度、コンデンサ６の先玉レンズ枠６ｂに装着すればよい。
【００４０】
なお、先玉レンズ６ａの上面のオイル１２を拭き取らずに、先玉キャップ１１を取り外した場合や、先玉レンズ６ａに拭き残りのオイル１２があった場合であっても、溝６ｃにオイル１２が溜まることにより、オイル１２が下にたれないように受容することができる。
【００４１】
また、先玉レンズ６ａの上面にオイル１２を多量に点着してしまい、オイル受容部１１ｃからオイル１２が外周へ超えた場合でも、溝６ｆでオイル１２を受容することができる。
【００４２】
以上説明したように、正立顕微鏡１では、先玉レンズ６ａの下側に配置されるコンデンサ６本体やステージ４へのオイル１２の進入を防ぐことができ、コンデンサ６やステージ４の分解といった手間がかかる保守作業の頻度を低減することができる。さらに、正立顕微鏡１では、オイル１２の清掃のために、コンデンサ６本体の取り外しや、コンデンサ６のピントの再調整をする必要がなく、清掃を容易に短時間で行うことができる。
【００４３】
なお、上述した実施の形態において、先玉キャップ１１がプラスチックからなる構成を説明したが、これに限定されない。先玉キャップ１１は、ゴムからなる構成であってもよい。先玉キャップ１１がゴムからなる場合、ゴムの弾性により、先玉キャップ１１をコンデンサ６に嵌めやすい。さらに、ゴムの弾性によりオイル受容部１１ｃに溜まったオイル１２を拭き取りやすい。また、先玉キャップ１１は、金属等のその他の材料からなる構成であってもよい。
【００４４】
（変形例１）
図５は、実施の形態の変形例１に係る先玉キャップの斜視図である。図５に示すように、先玉キャップ１１Ａは、オイル受容部１１ｃの外側の淵に撥油コーティングとしてフッ素コーティングが施された撥油部１１Ａｄを備える。撥油部１１Ａｄは、コンデンサ６の先玉レンズ６ａの外周を囲むように配置されている。ただし、撥油コーティングはフッ素コーティングに限られず、テフロン（登録商標）等によるコーティングであってもよい。
【００４５】
また、フッ素コーティングの替わりに、撥油部１１Ａｄとしてドーナッツ状のフッ素ゴム等の撥油性を有する部材を先玉キャップ１１Ａのオイル受容部１１ｃの外側の淵に埋め込んでもよい。
【００４６】
先玉キャップ１１Ａは、撥油部１１Ａｄを備えることにより、オイル受容部１１ｃにたまったオイル１２が外側に移動しにくくなる。その結果、コンデンサ６の先玉レンズ６ａに点着した余分なオイル１２がコンデンサ６本体にさらにこぼれにくくなる。
【００４７】
（変形例２）
図６は、実施の形態の変形例２に係る先玉キャップの断面図である。図６に示すように、先玉キャップ１１Ｂには、円周状に凹部１１Ｂｃが形成されており、凹部１１Ｂｃには、オイルを吸収する性質を有するポリプロピレン不織布等のオイル受容部としてのオイル吸収材１１Ｂｅが配置されている。オイル吸収材１１Ｂｅは、コンデンサ６の先玉レンズ６ａの外周を囲むように配置されおり、凹部１１Ｂｃの幅よりも径方向に１ｍｍ程度幅が大きい。
【００４８】
先玉キャップ１１Ｂでは、余分なオイル１２をオイル吸収材１１Ｂｅが吸収する。オイル１２を含んだオイル吸収材１１Ｂｅは、ピンセットを用いてつまむことにより、容易に取り外すことができる。さらに、新品のオイル吸収材１１Ｂｅは、ピンセットを用いて凹部１１Ｂｃに詰め込むことにより容易にコンデンサ６本体に固定することができる。
【００４９】
（変形例３）
図７は、実施の形態の変形例３に係る先玉キャップの断面図である。図７に示すように、先玉キャップ１１Ｃには、円周状に段差部１１Ｃｃが形成されており、段差部１１Ｃｃには、オイル１２を吸収する性質を有するポリプロピレン不織布等のオイル受容部としてのオイル吸収材１１Ｃｆが配置されている。このように、先玉キャップ１１Ｃは、溝が形成されていない構成であってもよい。
【００５０】
（変形例４）
図８は、実施の形態の変形例４に係る先玉キャップの断面図である。図８に示すように、先玉キャップ１１Ｄのオイル受容部１１ｃの外側には、円周状の斜面部１１Ｄｇが設けられている。先玉キャップ１１Ｄでは、斜面部１１Ｄｇが設けられていることにより、オイル受容部１１ｃに溜まったオイル１２が外側に移動しにくくなる。
【００５１】
さらなる効果や変形例は、当業者によって容易に導き出すことができる。よって、本発明のより広範な態様は、以上のように表わしかつ記述した特定の詳細及び代表的な実施形態に限定されるものではない。従って、添付のクレーム及びその均等物によって定義される総括的な発明の概念の精神又は範囲から逸脱することなく、様々な変更が可能である。
【符号の説明】
【００５２】
１  正立顕微鏡
２  顕微鏡フレーム
３  スライドガラス標本
４  ステージ
４ａ  下ステージ
４ｂ  上ステージ
４ｃ  クレンメル
４ｄ  操作ハンドル
５  焦準部
６  コンデンサ
６ａ  先玉レンズ
６ｂ  先玉レンズ枠
６ｃ、６ｆ  溝
６ｄ、１１ｂ  凸部
６ｅ、１１Ｂｃ  凹部
７  対物レンズ
８  レボルバ
９  焦準ハンドル
１０  三眼鏡筒
１１、１１Ａ、１１Ｂ、１１Ｃ、１１Ｄ  先玉キャップ
１１ａ  スナップフィット部
１１ｃ  オイル受容部
１１Ａｄ  撥油部
１１Ｂｅ、１１Ｃｆ  オイル吸収材
１１Ｃｃ  段差部
１１Ｄｇ  斜面部
１２、１３  オイル
【図１】
2018066784.tif 000003
【図２】
2018066784.tif 000004
【図３】
2018066784.tif 000005
【図４】
2018066784.tif 000006
【図５】
2018066784.tif 000007
【図６】
2018066784.tif 000008
【図７】
2018066784.tif 000009
【図８】
2018066784.tif 000010